(57)【要約】【課題】安価な方法で、集塵以外の機能を有するプレフィルタユニットを装着することができ、かつ浄化フィルタユニットに付着する菌や臭いを低減することができる空気清浄機用フィルタを提供する。【解決手段】浄化フィルタユニット８の上流側に、集塵以外の機能を備えるプレフィルタ７を配設し、プレフィルタ７をプレフィルタ枠６で挟み込み、前部筐体ケースプレフィルタ被係止部３ａにプレフィルタ枠係止部６ａを係止することで可撓性のあるシート状のプレフィルタの形状を保持することができる。【選択図】  図３
2012055844.tif 000002
【特許請求の範囲】
【請求項１】
フィルタ取付け部と、空気が流通する浄化フィルタユニットと、前記浄化フィルタユニットの上流側に配置されるプレフィルタユニットと、前記浄化フィルタユニットの下流側に設けられたファンモータとを備える空気清浄機において、
前記プレフィルタユニットは、前記プレフィルタユニット自体を弾性変形させることによって前記フィルタ取付け部に形成された被係止部に前記プレフィルタユニットに形成された係止部を挿入することによって、前記フィルタ取付け部に装着されることを特徴とする空気清浄機。
【請求項２】
前記プレフィルタユニットは、同一形状の複数のフィルタ枠と、集塵以外の機能を備えるプレフィルタを備え、
前記プレフィルタは、１８０°反転した前記複数のフィルタ枠によって挟み込まれることによって前記複数のフィルタ枠に保持されることを特徴とする請求項１に記載の空気清浄機。
【請求項３】
各フィルタ枠は、対角位置に爪と穴を備え、
前記複数のフィルタ枠は、一方のフィルタ枠の爪が他方のフィルタ枠の穴に嵌め込まれ、前記一方のフィルタ枠の穴が前記他方のフィルタ枠の爪に嵌め込まれることによって互いに結合されることを特徴とする請求項２に記載の空気清浄機。
【請求項４】
各フィルタ枠は、メッシュフィルタを備えることを特徴とする請求項２または請求項３に記載の空気清浄機。
【発明の詳細な説明】
【技術分野】
【０００１】
本発明は空気清浄機のフィルタに関するものである。
【背景技術】
【０００２】
従来の空気清浄機用フィルタは、上流側より、プレフィルタ，集塵フィルタ，脱臭フィルタの順に配置することが一般的であった。プレフィルタは比較的大きな塵埃を補塵し、集塵フィルタは比較的微細な塵埃を補塵する。脱臭フィルタは活性炭からなり、空気中の臭い成分であるアセトアルデヒド，アンモニア，酢酸，トリメチルアミン，イソ吉草酸などを吸着する。
【０００３】
上記構成のフィルタにおいて、脱臭フィルタに使用する活性炭は、粉末状活性炭のみを用いたものや、粒状活性炭のみを用いたものが使用されている。
【０００４】
粉末活性炭のみを使用する場合、活性炭の粒子径が小さく表面積が大きいため吸着スピードが速いという利点はあるが、吸着できる量が少なく、早く飽和状態となり臭いを再放出しやすい。また、粒状活性炭のみを使用する場合、吸着できる量は多いという利点はあるが、活性炭の粒子径が約１mm以上で表面積を飛躍的に増やせないため、吸着スピードを速くするためには多量の活性炭を使用しなければならない。
【０００５】
このため粒状活性炭と粉末活性炭を併用したフィルタにより、吸着スピードが速く、且つ吸着できる量を多くしたフィルタが提案されている（特許文献１）。
【０００６】
しかしながら、吸着スピードが速く、且つ吸着できる量が多い活性炭を含むフィルタの場合、これらの能力にも限界があり、脱臭性能を維持するためには、フィルタの交換が必要となり、使用者にとってランニングコストが高くなる傾向になる。
【０００７】
このためフィルタ内の脱臭フィルタ部を別構造として、布などの柔軟で安価な材料で脱臭フィルタを形成して、自身で形状を保持することを可能とする図１０に示す構造が提案されている（特許文献２）。
【先行技術文献】
【特許文献】
【０００８】
【特許文献１】特開平１１−１１４３３３号公報
【特許文献２】特開２００４−１０５８７９号公報
【発明の概要】
【発明が解決しようとする課題】
【０００９】
ところで特許文献２で提案されている図１０の構造の場合、空気を浄化するために必要なプレフィルタ１０２，脱臭フィルタ１０４，集塵フィルタ１０５の他に、フィルタ押さえ枠１０３と、枠体１０６の部材が必要となりコストが高くなる。
【００１０】
また、枠体１０６までを含めたフィルタユニット１００を空気清浄機のフィルタ収納部に収納する必要があるため、空気清浄機自体の寸法も大きくなる。
【００１１】
ＰＰ（ポリプロピレン）やＡＢＳ（アクリロニトリル・ブタジエン・スチレン）で構成されたプレフィルタ１０２に集塵以外の機能を持たせるのは困難であった。
【課題を解決するための手段】
【００１２】
本発明は、プレフィルタユニットは、プレフィルタユニット自体を弾性変形させることによってフィルタ取付け部に形成された被係止部にプレフィルタユニットに形成された係止部を挿入することによって、フィルタ取付け部に装着されることを特徴とする。
【発明の効果】
【００１３】
本発明によれば、プレフィルタユニット自体を弾性変形させることによってフィルタ取付け部に形成された被係止部にプレフィルタユニットに形成された係止部を挿入することによって、フィルタ取付け部に装着されることにより、フィルタ押さえ枠や枠体が不要となり、プレフィルタユニットの取付け構造を簡素化できる。
【００１４】
本発明によれば、プレフィルタユニット自体を弾性変形させることによってフィルタ取付け部に形成された被係止部にプレフィルタユニットに形成された係止部を挿入することによって、フィルタ取付け部に装着されることにより、フィルタ押さえ枠や枠体が不要となり、空気清浄機を小型化できる。
【図面の簡単な説明】
【００１５】
【図１】本発明に係る実施形態の空気清浄機を示す斜視図。
【図２】（ａ）は、実施形態の空気清浄機の正面図であり、（ｂ）は、（ａ）のＡ−Ａ線断面図。
【図３】実施形態の空気清浄機の分解斜視図。
【図４】実施形態のプレフィルタ枠の正面図。
【図５】実施形態のプレフィルタユニットの斜視図。
【図６】プレフィルタユニット図５のＢ−Ｂ線断面図。
【図７】プレフィルタユニットをフロントケース被係止部に取付ける状態を示す斜視図。
【図８】図７のプレフィルタユニット係止部とフロントケース被係止部との組立時のＣ−Ｃ線断面図。
【図９】プレフィルタ枠にメッシュフィルタを配置したプレフィルタ枠の正面図。
【図１０】従来の空気清浄機用フィルタユニットの分解斜視図。
【発明を実施するための形態】
【００１６】
本発明は、空気が流通する浄化フィルタユニットと、浄化フィルタユニットの下流側に設けられたファンモータとを備える空気清浄機において、浄化フィルタユニットの上流側にプレフィルタユニットを配設し、プレフィルタユニットに、集塵以外の機能を備えることを特徴とする。好ましくは、浄化フィルタユニットが、上流側に集塵フィルタと、下流側に活性炭を含む脱臭フィルタを配設する。好ましくは、プレフィルタユニットが、取付け枠および集塵以外の機能を有するプレフィルタから構成される。好ましくは、取付け枠が、枠体とメッシュフィルタからなる。好ましくは、枠体とメッシュフィルタとが一体成形される。好ましくは、プレフィルタが、薄い可撓性のあるシート状で形成され、薬剤を塗布あるいは含有する。
【００１７】
この構成によれば、プレフィルタユニットの部材数量を低減でき、コストを低くすることが可能となる。また集塵以外の、除菌や脱臭の機能を備えたプレフィルタによれば、浄化フィルタユニットに付着する菌や臭いを抑制するため、浄化フィルタユニットでの菌の繁殖を防ぎ、運転時、排気口から排出される空気の臭いも低減することができる。浄化フィルタユニットにおいて、上流側に集塵フィルタと、下流側に活性炭を含む脱臭フィルタを配設すれば、活性炭が塵埃などの付着により脱臭効果が低下することを抑制することが可能となる。プレフィルタユニットが、取付け枠および集塵以外の機能を有するプレフィルタから構成される構造によれば、薄いシート状で、可撓性のあるプレフィルタであっても、形状を保持することが可能となり取扱性及び着脱性を向上できる。プレフィルタユニットを構成する取付け枠が、枠体と、メッシュフィルタからなることにより、綿埃のような比較的大きな塵埃をメッシュフィルタで補塵することが可能となり、プレフィルタを清浄に保つ時間を延ばすことができ、清掃などのメンテナンスを容易にすることができる。
プレフィルタユニットを構成する取付け枠が、枠体と、メッシュフィルタを一体成形することにより、更に、安価で取扱性の良好な構造とすることができる。プレフィルタユニットを構成するプレフィルタが、薄いシート状で形成され、薬剤を塗布あるいは含有することにより、薬剤の効果に応じた機能を発現することが可能となる。またプレフィルタユニット内のプレフィルタが、薄いシート状で形成されているため、プレフィルタユニットを小型化でき、空気清浄機自体の寸法を小さくすることが可能となる。
【００１８】
本発明は、フィルタ取付け部と、空気が流通する浄化フィルタユニットと、浄化フィルタユニットの上流側に配置されるプレフィルタユニットと、浄化フィルタユニットの下流側に設けられたファンモータとを備える空気清浄機において、プレフィルタユニットは、プレフィルタユニット自体を弾性変形させることによってフィルタ取付け部に形成された被係止部にプレフィルタユニットに形成された係止部を挿入することによって、フィルタ取付け部に装着されることを特徴とする。好ましくは、プレフィルタユニットは、同一形状の複数のフィルタ枠と、集塵以外の機能を備えるプレフィルタを備え、プレフィルタは、１８０°反転した複数のフィルタ枠によって挟み込まれることによって複数のフィルタ枠に保持される。好ましくは、各フィルタ枠は、対角位置に爪と穴を備え、複数のフィルタ枠は、一方のフィルタ枠の爪が他方のフィルタ枠の穴に嵌め込まれ、一方のフィルタ枠の穴が他方のフィルタ枠の爪に嵌め込まれることによって互いに結合される。好ましくは、各フィルタ枠は、メッシュフィルタを備える。
【００１９】
この構成によれば、プレフィルタユニット自体を弾性変形させることによってフィルタ取付け部に形成された被係止部にプレフィルタユニットに形成された係止部を挿入することによって、フィルタ取付け部に装着されることにより、フィルタ押さえ枠や枠体が不要となり、プレフィルタユニットの取付け構造を簡素化できる。また、本発明によれば、プレフィルタユニット自体を弾性変形させることによってフィルタ取付け部に形成された被係止部にプレフィルタユニットに形成された係止部を挿入することによって、フィルタ取付け部に装着されることにより、フィルタ押さえ枠や枠体が不要となり、空気清浄機を小型化できる。
【００２０】
本発明は、空気吸入手段と、集塵機能と脱臭機能の少なくとも１つを有する第１のフィルタユニットと、第１のフィルタの上流側に配置される第２のフィルタユニットとを備えた空気清浄機において、第２のフィルタユニットは、同一形状の２つの枠を備え、上下を反転させると共に表裏を反転させた２つの枠によって、着脱自在なシート状のフィルタを挟み込むことを特徴とする。
【００２１】
この構成によれば、シート状のフィルタを容易に交換できる。さらに、シート状のフィルタを位置ずれなく、しわを寄せることなく、保持できる。さらに、異なる形状の枠を用意する必要がなく、１つの金型で枠を生成でき、生産効率を向上できる。
【実施例１】
【００２２】
以下、本発明の一実施例について図面を用いて説明する。
【００２３】
図１に示す空気清浄機１は、図２（ｂ）に示すように、前面パネル４と前部筐体ケース３との間のクリアランスｃを通して室内（被清浄空間）の空気を吸入するためのファンモータ９（図２（ｂ）参照）と、ファンモータ９によって吸入される室内の空気の集塵や脱臭を行うためのプレフィルタユニット５，浄化フィルタユニット８（メインフィルタユニット）と、室内の空気を加湿するための水が貯留されている水タンク１０と、プレフィルタユニット５，浄化フィルタユニット８を通して清浄された空気を水タンク１０内から汲み上げられた水により加湿する気化フィルタユニット１１と、プレフィルタユニット５，浄化フィルタユニット８を通して清浄にされた空気の水分を吸い取る除湿用のデシカントロータ１２と、デシカントロータ１２で吸収した水分を気化する空気を加熱するためのヒータ１３と、デシカントロータ１２から吸収し気化された水分を含む空気からその水分を凝縮するための凝縮器１４と、ファンモータ９の遠心ファン９ａの周りを囲うとともに上部の排出口に向かって遠心ファン９ａ外周との間隙が拡がって形成され清浄にされた空気を排出するための渦巻状のファンケーシング１５とを備えている。ファンモータ９の上流側または下流側に、さらにイオン発生器を備えていてもよい。除湿に必要なデシカントロータ１２，ヒータ１３，凝縮器１４を必須の構成ではなく、なくてもよい。加湿に必要な水タンク１０，気化フィルタユニット１１も必須の構成ではなく、なくてもよい。プレフィルタユニット５，浄化フィルタユニット８，気化フィルタユニット１１，デシカントロータ１２を、空気吸入手段であるファンモータ９の上流側かつ前側に配置する代わりに、浄化フィルタユニット８，気化フィルタユニット１１，デシカントロータ１２の全部または一部をファンモータ９の下流側に配置してもよいし、プレフィルタユニット５，浄化フィルタユニット８，気化フィルタユニット１１，デシカントロータ１２を、ファンモータ９の上流側かつ後側に配置してもよい。
【００２４】
図１，図２（ｂ）に示すように、空気清浄機１の筐体である前部筐体ケース３と前面パネル４との間には、クリアランスｃ（隙間）が上下左右に形成され、このクリアランスｃを通して、図２（ｂ）の矢印ａ１１のように、室内の汚れた空気が空気清浄機１内に吸入され、プレフィルタユニット５，浄化フィルタユニット８を通ってろ過され清浄にされた空気が、渦巻状のファンケーシング１５に案内され図１に示すように、主部筐体ケース２の上部に開口された排出口２ｏを通って、室内に排出される。
【００２５】
浄化フィルタユニット８とプレフィルタユニット５と、前面パネル４は、図３の順序で空気清浄機に配置される。つまり前側かつ上流側から、前面パネル４，プレフィルタユニット５，浄化フィルタユニット８の順序で配置される。先ず最初に、浄化フィルタユニット８が空気清浄機１の前部に形成された前部筐体ケース浄化フィルタ取付け部３ｉのスペースに挿入される。浄化フィルタユニット８は上流側が塵埃などを補塵する集塵フィルタ８ａであり、後部が活性炭を含む脱臭フィルタ８ｂである。また、集塵フィルタ８ａと脱臭フィルタ８ｂとは、図３のようにそれぞれ独立していても良いし、一体となっていても良い。脱臭フィルタ８ｂに塵埃が堆積するのを抑制するのであれば、集塵フィルタ８ａを上流側に配置し脱臭フィルタ８ｂを下流側に配置するのが好ましいが、集塵フィルタ８ａに捕集・堆積する塵埃の一部を脱臭フィルタ８ｂで補修するのであれば、脱臭フィルタ８ｂを上流側に配置し集塵フィルタ８ａを下流側に配置するのが好ましい。集塵フィルタ８ａは、いわゆるＨＥＰＡフィルタなどであって、微細な塵埃を補塵する。ＨＥＰＡフィルタ（High Efficiency Particulate Air Filter）とは、空気中からゴミ，塵埃などを取り除き、清浄空気にする目的で使用するエアフィルタの一種であり、「定格風量で粒径が０.３μｍの粒子に対して９９.９７％以上の粒子捕集率をもち、かつ初期圧力損失が２４５Ｐａ以下の性能を持つエアフィルタ」である、ＨＥＰＡフィルタの代わりに、粒子捕集効率をさらに上げたＵＬＰＡフィルタを用いてもよい。集塵フィルタ８ａは、プレフィルタユニット５や脱臭フィルタ８ｂよりも通気穴の径が小さく、粒子捕集率が高い。集塵フィルタ８ａは、ひだ状に折られていてもよい。ひだ状に折られていれば、集塵フィルタ８ａの空気への接触面積を大きくでき、通気抵抗を低減できる。
【００２６】
その後、図４に示すプレフィルタユニット５側のプレフィルタ係止部６ａを、前部筐体ケース３側の前部筐体ケースプレフィルタ被係止部３ａに、プレフィルタユニット５の弾性を利用して変形させて取付ける。つまり、プレフィルタユニット５の側面に、左右方向の圧縮力を加え、プレフィルタユニット５を左右方向に撓ませて、左右方向の長さを短くした状態で、プレフィルタ係止部６ａを前部筐体ケースプレフィルタ被係止部３ａの内側に挿入し、プレフィルタユニット５に加えていた圧縮力を除去する。上から見ると、前部筐体ケースプレフィルタ被係止部３ａは、略「コ」の字形状である。取付ける状態の図を図７に示す。４つのプレフィルタ係止部６ａを左右外側に２つずつ設け、４つの前部筐体ケースプレフィルタ被係止部３ａを左右のプレフィルタ係止部６ａに対応する位置に２つずつ設ける代わりに、４つのプレフィルタ係止部６ａを上下外側に２つずつ設け、４つの前部筐体ケースプレフィルタ被係止部３ａを左右のプレフィルタ係止部６ａに対応する位置に２つずつ設けてもよいし、４つのプレフィルタ係止部６ａを上下左右外側に１つずつ設け、４つの前部筐体ケースプレフィルタ被係止部３ａを上下左右のプレフィルタ係止部６ａに対応する位置に１つずつ設けてもよい。最後に前部筐体ケースパネル取付け部３ｂに前面パネルの係止部（図示せず）を弾性変形させて取付ける。図３記載のプレフィルタ５は、組み合わされて図５の形態となる。プレフィルタユニット５によって、浄化フィルタユニット８が前部筐体ケース浄化フィルタ取付け部３ｉから脱落するのを防止できる。ただし、プレフィルタユニット５を前部筐体ケース３に取付ける代わりに、プレフィルタユニット５を前面パネル４の後面に取付けてもよい。
【００２７】
以下、プレフィルタユニット５の構造について詳細に説明する。
【００２８】
図４にはプレフィルタ枠６の正面図を示す。プレフィルタ枠６は、略四角形状の枠部６ｂ及び枠部６ｂの内側に格子状に設けられた補強部６ｃからなり、材質はＰＰ（ポリプロピレン），ＡＢＳ（アクリロニトリル・ブタジエン・スチレン）などの樹脂製で、射出成形により成形される。プレフィルタ枠６は、樹脂以外でもよいが、ある程度の剛性と弾性を有する材質が好ましい。枠部６ｂおよび補強部６ｃは一体で構成されるのが好ましいが、別体であってもよい。図４の実施例では、補強部６ｃの数量は縦２本，横３本であるが、縦０〜４本，横０〜６本の間でそれぞれ任意に組み合わせて選定しても良い。
【００２９】
枠部６ｂの上下左右の辺の外周部の裏面には、爪部６ｄと、挿入穴部６ｅが交互に配置されている。上下左右の各辺には、爪部６ｄと挿入穴部６ｅとが２つずつ配置されている。上辺の爪部６ｄと下辺の爪部６ｄの位置関係、上辺の挿入穴部６ｅと下辺の挿入穴部６ｅの位置関係、左辺の爪部６ｄと右辺の爪部６ｄの位置関係、左辺の挿入穴部６ｅと右辺の挿入穴部６ｅの位置関係のそれぞれは、プレフィルタ枠６センタを中心軸として１８０°回転した位置関係（対角位置の関係）にある。プレフィルタユニット５を前部筐体ケースプレフィルタ被係止部３ａに取付けるためのプレフィルタ係止部６ａがプレフィルタ枠６の端面に１箇所配置されており、更にプレフィルタ枠６センタを中心軸として１８０°回転した位置（対角位置）にもプレフィルタ係止部６ａが配置されている。
【００３０】
図３に示すように、プレフィルタユニット５は、同一形状である２つのプレフィルタ枠６を、相互に１８０°回転させて相対させ（裏面同士を対向させ）、２つのプレフィルタ枠６の裏面でプレフィルタ７を挟み込み、組立てられる。交互に配置された爪部６ｄと挿入穴部６ｅが嵌合することにより図５に示すプレフィルタユニット５となる。外周部に設ける爪部６ｄと挿入穴部６ｅは１個おきに交互に配置する必要はなく、２個おき、３個おきに配置されても良く、数量は一辺に２〜８個程度設ける。つまり同一形状のプレフィルタ枠６を１８０°回転させて爪部６ｄと挿入穴部６ｅがかみ合う構造であれば良い。同一形状のプレフィルタ枠６を使用するため成形用の金型は１種類で済み、安価にプレフィルタユニット５を構成することが可能となる。
【００３１】
図６にはプレフィルタ枠６の爪部６ｄと挿入穴部６ｅの断面図を示し、プレフィルタ７を挟み込みプレフィルタユニット５となる状態を示す。プレフィルタ枠６の裏面は、爪部６ｄが突出した側である。爪部６ｄおよび挿入穴部６ｅは、プレフィルタ枠６の裏面に配置される。
【００３２】
プレフィルタ７を挟み込むプレフィルタ枠６同士の隙間５ｃは約１mm程度あり、プレフィルタ７の厚みが１mm以下であれば非常に薄いプレフィルタ７でも保持することが可能となる。プレフィルタ７の厚みが１mm以上の厚みの場合には、プレフィルタ枠６同士の隙間５ｃを大きくしておけば良い。プレフィルタ枠６同士の隙間５ｃは、プレフィルタ７の厚み以上であるのが好ましいが、未満であってもよい。
【００３３】
プレフィルタ７は、メルトブロー不織布などでできており、ナノチタン酸化物などの塗布により抗菌や消臭作用などの機能を付与することができる。また、樹脂に抗菌作用を持つ物質を練り込みにより配合して繊維状とし、これを編むことによりネット状のシートなどとしても良い。つまりプレフィルタ７は、浄化フィルタユニット８の集塵フィルタ８ａよりも大きな塵埃を補塵する目付け量となっており、且つ薄いシート状であれば、薬剤を塗布したり含有させることにより配合する薬剤の効果を得ることができる。プレフィルタ７の縦横の大きさは、プレフィルタ枠６の爪部６ｄ，挿入穴部６ｅに掛からない程度の大きさにすることで組立が容易となる。プレフィルタ枠６全面に単一のプレフィルタ７を配置しても良いし、任意寸法にカットして、組み合わせてプレフィルタ枠６で挟み込んでも良い。この方法により、機能の異なるプレフィルタの効果を得ることもできる。プレフィルタ７は、使用者が交換可能である。プレフィルタ７を交換する際、使用者は、プレフィルタ７を挟み込んでいる２つのプレフィルタ枠６を分離し、プレフィルタ７を取り出し、新しいプレフィルタ７を２つのプレフィルタ枠６で挟み込んで空気清浄機１に組み込むことができる。よって、プレフィルタ７は使い捨てであっても、プレフィルタ枠６は再利用可能である。よって、無駄を省くことができる。
【００３４】
プレフィルタ７を取付けない場合、プレフィルタユニット５は一般的なプレフィルタとして使用することができる。図８にはプレフィルタユニット５のプレフィルタ係止部６ａが前部筐体ケースプレフィルタ被係止部３ａに挿入され組立てられた状態の断面図を示す。プレフィルタ７を取付けずに、プレフィルタユニット５をプレフィルタとして使用する場合は、プレフィルタユニット５のプレフィルタ枠６は、２つでもよいが、１つでもよい。プレフィルタ枠６にメッシュフィルタ１６を同一材料で一体に形成してもよい。横からの断面で見ると、プレフィルタ枠６よりも厚みの薄いメッシュフィルタ１６は、プレフィルタ枠６の裏面側に位置する。
【００３５】
また、プレフィルタ枠６とプレフィルタ７との間に、メッシュフィルタ１６を配置することにより、比較的大きな塵埃を補塵することができ、プレフィルタ７を清浄に保つことができる。メッシュフィルタ１６の粒子捕集率は、集塵フィルタ８ａの粒子捕集率よりも低い。メッシュフィルタ１６は、図９に示すようにプレフィルタ枠６と別体としてもよく、また、プレフィルタ枠６成形時、メッシュフィルタ１６をインサートし、一体成形して製作しても良い。メッシュフィルタ１６の仕様は、材質ＰＰ，ＡＢＳ，ポリエステルなどが用いられ、線径０.１〜３mm，メッシュサイズ縦１０メッシュ〜２００メッシュ，１０〜２００メッシュのものが任意に組み合わされて適用される。綿埃のような比較的大きな塵埃を補塵する場合には、メッシュサイズ１０メッシュ程度を使用し、比較的小さな塵埃を補塵する場合には２００メッシュのフィルタを選択する。
【００３６】
シート状のプレフィルタ７を、２つのプレフィルタ枠６によって挟み込んでいるため、用途によりシート状のプレフィルタ７を使い分けることができる。メッシュフィルタ１６を具備しているプレフィルタ枠６が、メインの浄化フィルタユニット８の上流側に配置されているため、交換や掃除などのメンテナンスがしやすい。シート状のプレフィルタ７がなく、プレフィルタ枠６単体で使用しても大きな埃などを捕集できるプレフィルタとしてメインの浄化フィルタユニット８の目詰まりを防ぐことができる。
【００３７】
プレフィルタ７の前後を格子状の２つのプレフィルタ枠６によって挟み込んで保持することにより、プレフィルタユニット５を空気清浄機１に取付ける際に、プレフィルタ７の位置がずれたり、プレフィルタ７にしわが生じたりするのを、抑制できる。さらに、プレフィルタ７の前後を格子状の２つのプレフィルタ枠６によって挟み込んで保持することにより、空気清浄機１が稼動してプレフィルタ７に吸い込み空気があたっても、プレフィルタ７の位置がずれたり、プレフィルタ７にしわが生じたりするのを抑制するだけでなく、プレフィルタ７の長手方向の中央部が空気によって下流側へ膨らむのを抑制でき、プレフィルタ７を通過せずプレフィルタ７の側面から下流側へ漏れる空気を低減でき、さらに、プレフィルタ７が損傷するのも抑制できる。プレフィルタ７が、シート状で、自立できないほど剛性の低いものである場合は、上記の効果が特に顕著である。さらに、格子状の２つのプレフィルタ枠６のプレフィルタ７側の面（裏面）にメッシュフィルタ１６を設けることにより、さらに、プレフィルタ７の位置がずれたり、プレフィルタ７にしわが生じたりするのを抑制し、プレフィルタ７の長手方向の中央部が空気によって下流側へ膨らむのを抑制できる。
【００３８】
本発明の技術思想は、空気清浄機だけでなく、空気調和機（エアコンディショナ）や、除湿機，加湿器にも適用できる。
【符号の説明】
【００３９】
１  空気清浄機
３  前部筐体ケース
３ａ  前部筐体ケースプレフィルタ被係止部
３ｂ  前部筐体ケースパネル取付け部
３ｉ  前部筐体ケース浄化フィルタ取付け部
４  前面パネル
５  プレフィルタユニット
６  プレフィルタ枠
６ａ  プレフィルタ係止部
６ｂ  枠部
６ｃ  補強部
６ｄ  爪部
６ｅ  挿入穴部
７  プレフィルタ
８  浄化フィルタユニット
８ａ  集塵フィルタ
８ｂ  脱臭フィルタ
９  ファンモータ
１６  メッシュフィルタ
【図１】
2012055844.tif 000003
【図２】
2012055844.tif 000004
【図３】
2012055844.tif 000005
【図４】
2012055844.tif 000006
【図５】
2012055844.tif 000007
【図６】
2012055844.tif 000008
【図７】
2012055844.tif 000009
【図８】
2012055844.tif 000010
【図９】
2012055844.tif 000011
【図１０】
2012055844.tif 000012